(57)【要約】  【課題】組立作業が容易な雨水貯留浸透システム用構造部材及びこれを用いた雨水貯留浸透システムを提供する。  【解決手段】骨格部材１に、その中央部を中心として周方向に互いに間隔を隔てて並べて設けられた複数の突出部２と、周方向に互いに隣接する突出部２間に設けられた複数の受け部３とを一体的に形成する。各骨格部材１を縦方向に積み上げる際には、下側の骨格部材１の受け部３に対応する位置に、上側の骨格部材１の突出部２の下部が対向するように位置決めすることにより、上側の骨格部材１の突出部２の下部を下側の骨格部材１の受け部３で受ける。これにより、上側の骨格部材１を水平方向に回転させて、その突出部２の位置を下側の骨格部材１の受け部３の位置に合わせるだけで、容易に位置決めを行うことができるので、各骨格部材を交互に上下反転させて積み上げるような従来技術と比べて、組立作業が容易である。【選択図】          図７
2009068291.tif 000002
【特許請求の範囲】
【請求項１】
同一形状からなる複数の骨格部材を備え、これらの骨格部材を横方向に並べて配置するとともに、縦方向に積み上げて三次元構造体を形成するための雨水貯留浸透システム用構造部材であって、
上記骨格部材が、
上記骨格部材の中央部を中心として周方向に互いに間隔を隔てて並べて設けられ、それぞれ下方に向かって突出する複数の突出部と、
上記周方向に互いに隣接する上記複数の突出部間に設けられ、上方に積み上げられる上記骨格部材の上記突出部の下部を受けるための複数の受け部とを備えたことを特徴とする雨水貯留浸透システム用構造部材。
【請求項２】
横方向に隣接する２以上の上記骨格部材の上記受け部上に跨るように配置される連結部材を備え、
上記２以上の骨格部材の上方に積み上げられる上記骨格部材の上記突出部の下部が、上記連結部材上で受けられることを特徴とする請求項１に記載の雨水貯留浸透システム用構造部材。
【請求項３】
上記複数の突出部が、下方に向かって先細りした筒状に形成されていることを特徴とする請求項１又は２に記載の雨水貯留浸透システム用構造部材。
【請求項４】
請求項１〜３のいずれかに記載の雨水貯留浸透システム用構造部材により形成される上記三次元構造体を地面に埋設することにより、上記三次元構造体の内部空間に雨水を貯留可能としたことを特徴とする雨水貯留浸透システム。
【発明の詳細な説明】
【技術分野】
【０００１】
本発明は、複数の骨格部材を横方向に並べて配置するとともに、縦方向に積み上げて三次元構造体を形成するための雨水貯留浸透システム用構造部材及びこれを用いた雨水貯留浸透システムに関するものである。
【背景技術】
【０００２】
近年、特に都市部で異常降雨や出水、あるいはその逆の異常乾燥といった問題が頻繁に生じており、その原因としてヒートアイランド現象が取り上げられている。かかる現象を緩和するため、雨水を利用する施設の構築が提案されており、そのような施設を構成する雨水貯留構造物の開発が進んでいる。
【０００３】
このような雨水貯留構造物として、例えば、下記特許文献１には、プラスチック成形体を縦横に組み立てた構造物を貯留空間とし、その周囲の一部あるいは全体をシート類で被覆した槽を地中に形成し、この槽に雨水を貯留する構造物が開示されている。具体的には、プラスチック成形体に設けられた雌穴に対して、継ぎ手の４隅に設けられた雄突起を結合することでプラスチック成形体を縦横に組み立てた構造物を貯留空間とするものである。
【０００４】
また、下記特許文献２には、複数の籠状部材を上下方向及び左右方向に積み重ねて貯留空間を構成した構造物が開示されている。上下の籠状部材同士については、ボルト及びナットで結合するか、あるいは接着剤で結合し、左右の籠状部材同士については、ボルト及びナット等で固定するものである。
【０００５】
【特許文献１】特開２００２−２０６２５７号公報
【特許文献２】特開平９−４１４７０号公報
【発明の開示】
【発明が解決しようとする課題】
【０００６】
しかしながら、上記特許文献１及び２のような構成では、プラスチック成形体や籠状部材といった骨格部材を縦方向に積み上げて三次元構造体を形成する際に、各骨格部材を交互に上下反転させて積み上げるような構成となっている。そのため、三次元構造体を形成する際に、骨格部材を頻繁に上下反転させる必要があるため、組立作業が煩雑になるという問題があった。特に、特許文献２のような構成では、籠状部材同士を連結するための部品（ボルトやナット）が多数必要であるため、部品点数が多く、組立作業がさらに煩雑である。
【０００７】
本発明は、上記実情に鑑みてなされたものであり、組立作業が容易な雨水貯留浸透システム用構造部材及びこれを用いた雨水貯留浸透システムを提供することを目的とする。
【課題を解決するための手段】
【０００８】
第１の本発明に係る雨水貯留浸透システム用構造部材は、同一形状からなる複数の骨格部材を備え、これらの骨格部材を横方向に並べて配置するとともに、縦方向に積み上げて三次元構造体を形成するための雨水貯留浸透システム用構造部材であって、上記骨格部材が、上記骨格部材の中央部を中心として周方向に互いに間隔を隔てて並べて設けられ、それぞれ下方に向かって突出する複数の突出部と、上記周方向に互いに隣接する上記複数の突出部間に設けられ、上方に積み上げられる上記骨格部材の上記突出部の下部を受けるための複数の受け部とを備えたことを特徴とする。
【０００９】
このような構成によれば、各骨格部材を縦方向に積み上げる際に、下側の骨格部材の受け部に対応する位置に、上側の骨格部材の突出部の下部が対向するように位置決めすることにより、上側の骨格部材の突出部の下部を下側の骨格部材の受け部で受けることができる。すなわち、上側の骨格部材を水平方向に回転させて、その突出部の位置を下側の骨格部材の受け部の位置に合わせるだけで、容易に位置決めを行うことができるので、各骨格部材を交互に上下反転させて積み上げるような従来技術と比べて、組立作業が容易である。
【００１０】
上記受け部は、上記突出部の下部形状に対応する凹部により形成されていることが好ましい。これにより、各骨格部材を縦方向に積み上げる際には、下側の骨格部材の受け部を形成している凹部内に、上側の骨格部材の突出部の下部を嵌合させることにより、上下の骨格部材を安定して連結することができるので、強度がより向上する。
【００１１】
第２の本発明に係る雨水貯留浸透システム用構造部材は、横方向に隣接する２以上の上記骨格部材の上記受け部上に跨るように配置される連結部材を備え、上記２以上の骨格部材の上方に積み上げられる上記骨格部材の上記突出部の下部が、上記連結部材上で受けられることを特徴とする。
【００１２】
このような構成によれば、横方向に隣接する２以上の骨格部材の受け部上に跨るように連結部材を配置するとともに、その上方に積み上げられる骨格部材の突出部の下部を連結部材上で受けることにより、各骨格部材を連結することができる。このようにして連結された状態では、連結部材により、横方向に隣接する骨格部材が互いにずれるのを防止できるとともに、連結部材上に上方の骨格部材の突出部の下部が当接しているので、連結部材が外れにくい。したがって、強度をより向上することができる。
【００１３】
上記連結部材には、上記受け部に係合する係合部が形成されていることが好ましい。このような構成によれば、横方向に隣接する骨格部材が互いにずれるのをより効果的に防止することができるので、強度をさらに向上することができる。
【００１４】
第３の本発明に係る雨水貯留浸透システム用構造部材は、上記複数の突出部が、下方に向かって先細りした筒状に形成されていることを特徴とする。
【００１５】
このような構成によれば、筒状に形成されている突出部の内面に、先細りした形状の突出部を挿入するように上方から別の骨格部材を重ねることができる。これにより、多数の骨格部材をコンパクトに重ねた状態で保持することができるので、保存時や輸送時などに嵩張らず有利である。
【００１６】
第４の本発明に係る雨水貯留浸透システムは、請求項１〜３のいずれかに記載の雨水貯留浸透システム用構造部材により形成される上記三次元構造体を地面に埋設することにより、上記三次元構造体の内部空間に雨水を貯留可能としたことを特徴とする。
【００１７】
このような構成によれば、請求項１〜３のいずれかに記載の発明と同様の効果を奏する雨水貯留浸透システムを提供することができる。すなわち、組立作業が容易な雨水貯留浸透システムを提供することができる。
【発明の効果】
【００１８】
本発明によれば、上側の骨格部材を水平方向に回転させて、その突出部の位置を下側の骨格部材の受け部の位置に合わせるだけで、容易に位置決めを行うことができるので、組立作業が容易である。
【発明を実施するための最良の形態】
【００１９】
＜第１実施形態＞
図１は、本発明の第１実施形態に係る雨水貯留浸透システム用構造部材を構成している骨格部材１の一例を示した図であり、上側から見た斜視図を示している。図２は、図１の骨格部材１を下側から見た斜視図である。以下では、図１における上側を上方、下側を下方とし、これらの上下方向に対応する縦方向に対して直交する方向を横方向として説明することとする。
【００２０】
この骨格部材１は、横方向に並べて配置されるとともに、縦方向に積み上げられることにより、複数の骨格部材１からなる三次元構造体が形成される。そして、この三次元構造体を地面に埋設することにより、当該三次元構造体の内部空間に雨水を貯留可能な雨水貯留浸透システムを形成することができる。骨格部材１は、耐食性の高い材料、例えばポリプロピレン、ポリエチレン、ポリ塩化ビニル、ＰＥＴ（ポリエチレンテレフタレート）などの合成樹脂を用いて形成することができる他、ステンレスなどの金属を用いて形成することも可能である。
【００２１】
骨格部材１は、その中央部１Ａを中心として周方向に互いに間隔を隔てて並べて設けられた複数の突出部２と、周方向に互いに隣接する突出部２間に設けられた複数の受け部３とが一体的に形成されることにより、平面視で正八角形状に構成されている。具体的には、４つの突出部２が、骨格部材１の中央部１Ａを中心として９０°毎に形成されるとともに、これらの各突出部２間に受け部３が形成されることにより、計４つの受け部３が、骨格部材１の中央部１Ａを中心として９０°毎に形成されている。
【００２２】
各突出部２は、縦方向に延びる筒状に形成され、中央部１Ａに対して下方に向かって突出している。各突出部２の下端部は台形状の下面２Ａにより塞がれており、これにより、各突出部２は上面に開口部２Ｂを有する容器状に形成されている。
【００２３】
各受け部３は、上方に積み上げられる骨格部材１の突出部２の下部を受けるための部分であり、横方向に延びる平板状に形成され、各突出部２の上端面よりも下方において、隣接する２つの突出部２の側面に結合されている。各受け部３は、突出部２の下面２Ａに対応する台形状に形成されている。これにより、互いに隣接する２つの突出部２の側面と、これらの側面に結合された受け部３と、中央部１Ａとによって、突出部２の下部形状に対応する凹部４が形成されている。
【００２４】
図３は、図１の骨格部材１を用いて三次元構造体の１層目を形成する際の態様を示した斜視図である。この図３に示すように、三次元構造体を形成する際には、まず、同一形状からなる複数の骨格部材１を横方向に並べて配置することにより、１層目を形成する。
【００２５】
このとき、隣接する骨格部材１の突出部２同士が対向するように各骨格部材１が配置されることにより、図３における破線の領域Ａ１内に示されているように、隣接する４つの骨格部材１の受け部３が、平面視で正方形状の空間を隔てて互いに対向するようになっている。また、このようにして形成された三次元構造体の１層目の周縁部には、互いに隣接する２つの骨格部材１の受け部３により、図３における破線の領域Ａ２に示すように、上記領域Ａ１の半分の領域が形成される。
【００２６】
図４は、図３の領域Ａ１において受け部３上に配置される連結部材５Ａの一例を示した図である。この連結部材５Ａは、骨格部材１の受け部３に対応する台形状の板状部材からなる４つの当接部５１と、これらの４つの当接部５１を同一面内で連結する連結部５２とが一体的に形成されることにより、図３の領域Ａ１に対応する形状に形成されている。
【００２７】
連結部５２は正方形状の板状部材からなり、この連結部５２の各辺から、当該連結部５２に対して平行方向に各当接部５１が突出している。連結部５２は、当接部５１よりも大きい厚みで形成されており、各当接部５１と連結部５２との結合部分には、上方側及び下方側の両方に、それぞれ連結部５２の各辺に沿って一直線状に延びる段差部５３が形成されている。
【００２８】
図５は、図３の領域Ａ２において受け部３上に配置される連結部材５Ｂの一例を示した図である。この連結部材５Ｂは、図４に示した連結部材５Ａの半分の形状に形成されており、骨格部材１の受け部３に対応する台形状の板状部材からなる２つの当接部５１と、これらの２つの当接部５１を同一面内で連結する連結部５４とが一体的に形成されることにより、図３の領域Ａ２に対応する形状に形成されている。
【００２９】
連結部５４は直角三角形状の板状部材からなり、この連結部５４の直交する２つの辺から、当該連結部５４に対して平行方向に各当接部５１が突出している。連結部５４は、当接部５１よりも大きい厚みで形成されており、各当接部５１と連結部５４との結合部分には、上方側及び下方側の両方に、それぞれ連結部５４の各辺に沿って一直線状に延びる段差部５３が形成されている。
【００３０】
図６は、図３に示した三次元構造体の１層目に連結部材５Ａ，５Ｂが配置された状態を示す斜視図である。この図６では、連結部材５Ａ，５Ｂが配置されている部分を分かりやすくするために、連結部材５Ａ，５Ｂにハッチングを施して示している。
【００３１】
図３及び図６を比較すると分かるように、隣接する４つの骨格部材１の受け部３が対向する領域Ａ１には、上方から連結部材５Ａが挿入され、互いに隣接する２つの骨格部材１の受け部３が対向する領域Ａ２には、上方から連結部材５Ｂが挿入される。このようにして挿入された連結部材５Ａ，５Ｂは、各当接部５１の下面が対応する受け部３上に当接し、連結部材５Ａは互いに対向する４つの受け部３上に、連結部材５Ｂは互いに対向する２つの受け部３上にそれぞれ跨るように配置される。
【００３２】
このとき、互いに対向する受け部３間に形成されている空間上には、各連結部材５Ａ，５Ｂの連結部５２，５４が位置し、各連結部材５Ａ，５Ｂの下側の段差部５３が、対応する受け部３の各端面３Ａ（図３参照）に当接するようになっている。これにより、各連結部材５Ａ，５Ｂが受け部３上に安定して保持され、これらの連結部材５Ａ，５Ｂによって、１層目の各骨格部材１の横方向への相対的なずれを抑制することができる。
【００３３】
図７は、図１の骨格部材１を用いて三次元構造体の２層目を形成する際の態様を示した斜視図である。この図７に示すように、三次元構造体の２層目を形成する際には、１層目を形成している各骨格部材１上に、それぞれ別の骨格部材１が同軸上に配置される。このとき、上側の骨格部材１を中央部１Ａ周りに４５°回転させ、その突出部２の位置を下側の骨格部材１の受け部３の位置に合わせるようにして、各骨格部材１が縦方向に積み上げられる。
【００３４】
１層目の骨格部材１の上方に積み上げられる各骨格部材１は、その各突出部２の下面２Ａが、各受け部３上に配置されている連結部材５Ａ，５Ｂ上に受けられる。より具体的には、各突出部２の下面２Ａが、対応する連結部材５Ａ，５Ｂの当接部５１の上面に受けられるとともに、各突出部２の側面２Ｃの下部が、各連結部材５Ａ，５Ｂの上側の段差部５３に当接することにより、２層目の各骨格部材１が各連結部材５Ａ，５Ｂ上に安定して保持される。
【００３５】
このようにして三次元構造体の２層目を形成した場合、図７における破線の領域Ａ３内に示されているように、横方向に隣接する骨格部材１の受け部３同士が接近し、これらの受け部３の端面３Ａが対向するようになっている。また、このようにして形成された三次元構造体の２層目の周縁部には、各骨格部材１の受け部３により、図７における破線の領域Ａ４に示すように、上記領域Ａ３の半分の領域が形成される。
【００３６】
図８は、図７の領域Ａ３において受け部３上に配置される連結部材５Ｃの一例を示した図である。この連結部材５Ｃは、骨格部材１の受け部３に対応する台形状の板状部材からなる２つの当接部５１が、同一面内で下底同士が当接するように一体的に形成されることにより、図７の領域Ａ３に対応する形状に形成されている。２つの当接部５１の結合部分には、上方側及び下方側の両方に、それぞれ各当接部５１の下底に沿って一直線状に延びる段差部５３が形成されている。
【００３７】
図９は、図７の領域Ａ４において受け部３上に配置される当接部材５Ｄの一例を示した図である。この当接部材５Ｄは、図８に示した連結部材５Ｃの半分の形状に形成されており、骨格部材１の受け部３に対応する台形状の板状部材からなる１つの当接部５１と、この当接部５１の下底に沿って上方側及び下方側の両方にそれぞれ一直線状に延びる段差部５３とが一体的に形成されることにより、図７の領域Ａ４に対応する形状に形成されている。
【００３８】
図１０は、図７に示した三次元構造体の２層目に連結部材５Ｃ及び当接部材５Ｄが配置された状態を示す斜視図である。この図１０では、連結部材５Ｃ及び当接部材５Ｄが配置されている部分を分かりやすくするために、連結部材５Ｃ及び当接部材５Ｄにハッチングを施して示している。
【００３９】
図７及び図１０を比較すると分かるように、隣接する２つの骨格部材１の受け部３が対向する領域Ａ３には、上方から連結部材５Ｃが挿入され、三次元構造体の２層目の周縁部に位置する領域Ａ４には、上方又は側方から当接部材５Ｄが挿入される。このようにして挿入された連結部材５Ｃ及び当接部材５Ｄは、各当接部５１の下面が対応する受け部３上に当接し、連結部材５Ｃは互いに対向する２つの受け部３上に跨るように配置される。
【００４０】
このとき、各連結部材５Ｃ及び各当接部材５Ｄの下側の段差部５３が、対応する受け部３の各端面３Ａに当接するようになっている。これにより、各連結部材５Ｃ及び各当接部材５Ｄが受け部３上に安定して保持され、各連結部材５Ｃによって、２層目の各骨格部材１の横方向への相対的なずれを抑制することができる。
【００４１】
このようにして三次元構造体の２層目を形成した後、その２層目を形成している各骨格部材１上に、それぞれ別の骨格部材１を中央部１Ａ周りにさらに４５°回転させた状態で同軸上に配置することにより、３層目を形成することができる。このとき、３層目の各骨格部材１の配置は、図３に示した１層目と同様の配置となり、各突出部２の下面２Ａが、各受け部３上に配置されている連結部材５Ｃ及び当接部材５Ｄ上に受けられる。
【００４２】
より具体的には、各突出部２の下面２Ａが、対応する連結部材５Ｃ及び当接部材５Ｄの当接部５１の上面に受けられるとともに、各突出部２の側面２Ｃの下部が、各連結部材５Ｃ及び各当接部材５Ｄの上側の段差部５３に当接することにより、３層目の各骨格部材１が各連結部材５Ｃ及び各当接部材５Ｄ上に安定して保持される。なお、当接部材５Ｄは、連結部材５Ａ〜５Ｃとは異なり、隣接する骨格部材１の受け部３を連結する機能を有していないが、同じ層において受け部３上に配置される連結部材５Ｃとの高さを合わせて、その上に配置される骨格部材１を安定して保持するための高さ調整機能を有している。
【００４３】
このように、１層目の各骨格部材１の配置態様と、２層目の各骨格部材１の配置態様とを交互に繰り返して骨格部材１を縦方向に積み上げることにより、任意の高さからなる三次元構造体を形成することができる。なお、連結部材５Ａ〜５Ｃ及び当接部材５Ｄは、骨格部材１と同じ材料で形成されていてもよいし、異なる材料で形成されていてもよい。
【００４４】
本実施形態では、各骨格部材１を縦方向に積み上げる際に、下側の骨格部材１の受け部３に対応する位置に、上側の骨格部材１の突出部２の下部が対向するように位置決めすることにより、上側の骨格部材１の突出部２の下部を下側の骨格部材１の受け部３で受けることができる。すなわち、上側の骨格部材１を水平方向に回転させて、その突出部２の位置を下側の骨格部材１の受け部３の位置に合わせるだけで、容易に位置決めを行うことができるので、各骨格部材を交互に上下反転させて積み上げるような従来技術と比べて、組立作業が容易である。
【００４５】
また、横方向に隣接する２以上の骨格部材１の受け部３上に跨るように連結部材５Ａ〜５Ｃを配置するとともに、その上方に積み上げられる骨格部材１の突出部２の下部を連結部材５Ａ〜５Ｃ上で受けることにより、各骨格部材１を連結することができる。このようにして連結された状態では、連結部材５Ａ〜５Ｃにより、横方向に隣接する骨格部材１が互いにずれるのを防止できるとともに、連結部材５Ａ〜５Ｃ上に上方の骨格部材１の突出部２の下部が当接しているので、連結部材５Ａ〜５Ｃが外れにくい。したがって、強度をより向上することができる。
【００４６】
本実施形態では、縦方向に積み上げられる各骨格部材１の互いに対向する突出部２及び受け部３間に、各連結部材５Ａ〜５Ｃが挟持されるだけの構成が示されているが、このような構成に限らず、各連結部材５Ａ〜５Ｃと、これらを挟持する突出部２及び受け部３に、凹凸等からなる互いに係合可能な係合部が形成されていてもよい。例えば、各連結部材５Ａ〜５Ｃの当接部５１の上面及び下面に凸部が形成されるとともに、骨格部材１の突出部２及び受け部３における上記凸部に対応する位置に凹部が形成され、これらが互いに嵌め合せられることにより係合するような構成であってもよい。このような構成によれば、横方向に隣接する骨格部材１が互いにずれるのをより効果的に防止することができるので、強度をさらに向上することができる。
【００４７】
＜第２実施形態＞
第１実施形態では、骨格部材１が平面視で正八角形状に形成された構成について説明した。これに対して、第２実施形態では、骨格部材１１が平面視で正六角形状に形成されている点が異なっている。
【００４８】
図１１は、本発明の第２実施形態に係る雨水貯留浸透システム用構造部材を構成している骨格部材１１の一例を示した図であり、上側から見た斜視図を示している。図１２は、図１１の骨格部材１１を下側から見た斜視図である。本実施形態における骨格部材１１は、その中央部１１Ａを中心として周方向に互いに間隔を隔てて並べて設けられた複数の突出部１２と、周方向に互いに隣接する突出部１２間に設けられた複数の受け部１３とが一体的に形成される点は、第１実施形態に係る骨格部材１と同様であるが、突出部１２及び受け部１３の形状が異なっている。
【００４９】
この例では、３つの突出部１２が、骨格部材１１の中央部１１Ａを中心として１２０°毎に形成されるとともに、これらの各突出部１２間に受け部１３が形成されることにより、計３つの受け部１３が、骨格部材１１の中央部１１Ａを中心として１２０°毎に形成され、骨格部材１１が全体として平面視で正六角形状に形成されている。
【００５０】
各突出部１２は、縦方向に延びる筒状に形成され、中央部１１Ａに対して下方に向かって突出している。より具体的には、各突出部１２は、下方に向かって先細りした筒状に形成され、各突出部１２の下端部が三角形状の下面１２Ａで塞がれることにより、各突出部１２は上面に開口部１２Ｂを有する容器状に形成されている。
【００５１】
各受け部１３は、上方に積み上げられる骨格部材１１の突出部１２の下部を受けるための部分であり、互いに隣接する突出部１２の上端面を結合する結合部１４に対して、下方に窪むように形成された凹部により構成されている。この例では、各受け部１３は、突出部１２の下部形状に対応する平面視で三角形状の凹部により形成されている。
【００５２】
図１３は、図１１の骨格部材１１を用いて三次元構造体を２層目まで形成した状態を示す斜視図である。三次元構造体を形成する際には、まず、同一形状からなる複数の骨格部材１１を横方向に並べて配置することにより、１層目を形成する。このとき、隣接する骨格部材１１の突出部１２と受け部１３とが対向するように各骨格部材１１が配置される。
【００５３】
その後、三次元構造体の２層目を形成する際には、１層目を形成している各骨格部材１１上に、それぞれ別の骨格部材１１が同軸上に配置される。このとき、上側の骨格部材１１を中央部１１Ａ周りに６０°回転させ、その突出部１２の位置を下側の骨格部材１１の受け部１３の位置に合わせるようにして、各骨格部材１１が縦方向に積み上げられる。これにより、上側の骨格部材１１の各突出部１２の下部が、対応する形状の凹部からなる各受け部１３内に嵌合されるので、上下の骨格部材１１を安定して連結することができ、強度がより向上する。
【００５４】
このようにして三次元構造体の２層目を形成した後、その２層目を形成している各骨格部材１１上に、それぞれ別の骨格部材１１を中央部１１Ａ周りにさらに６０°回転させた状態で同軸上に配置することにより、３層目を形成することができる。このとき、３層目の各骨格部材１１の配置は、図１３に示した１層目と同様の配置となり、２層目の各骨格部材１１の各受け部１３内に、３層目の各骨格部材１１の各突出部１２の下部が嵌合される。このように、１層目の各骨格部材１１の配置態様と、２層目の各骨格部材１１の配置態様とを交互に繰り返して骨格部材１１を縦方向に積み上げることにより、任意の高さからなる三次元構造体を形成することができる。
【００５５】
このように、本実施形態のような構成であっても、各骨格部材１１を縦方向に積み上げる際に、下側の骨格部材１１の受け部１３に対応する位置に、上側の骨格部材１１の突出部１２の下部が対向するように位置決めすることにより、上側の骨格部材１１の突出部１２の下部を下側の骨格部材１１の受け部１３で受けることができる。すなわち、上側の骨格部材１１を水平方向に回転させて、その突出部１２の位置を下側の骨格部材１１の受け部１３の位置に合わせるだけで、容易に位置決めを行うことができるので、各骨格部材を交互に上下反転させて積み上げるような従来技術と比べて、組立作業が容易である。
【００５６】
なお、図１３の例では、各骨格部材１１の上方にそれぞれ別の骨格部材１１が同軸上に配置されるような構成について説明したが、このような構成に限らず、各骨格部材１１の上方に中央部１１Ａの位置をずらして別の骨格部材１１を配置するような構成であってもよい。この場合、例えば互いに隣接する３つの骨格部材１１の受け部１３内に、上方に配置される１つの骨格部材１１の突出部１２が受けられるように積み上げるような構成とすれば、下側の３つの骨格部材１１を上側の１つの骨格部材１１により連結することができるので、他の連結部材を用いることなく強度を向上することができる。
【００５７】
図１４は、図１１の骨格部材１１を重ね合せた状態を示した斜視図である。この図１４に示すように、本実施形態では、骨格部材１１の各突出部１２が、下方に向かって先細りした筒状に形成されているため、突出部１２の開口部１２Ｂからその内面に、先細りした形状の突出部１２を挿入するように上方から別の骨格部材１１を重ねることができる。これにより、多数の骨格部材１１をコンパクトに重ねた状態で保持することができるので、保存時や輸送時などに嵩張らず有利である。
【００５８】
以上の実施形態では、骨格部材１，１１が平面視で正八角形状又は正六角形状に形成された構成について説明したが、このような構成に限らず、平面視で他の正多角形状に形成された構成であってもよい。また、突出部２，１２は、下面２Ａ，１２Ａを有する容器状のものに限らず、下面を有しない無底筒状に形成されていてもよいし、筒状ではなく柱状に形成されていてもよい。
【図面の簡単な説明】
【００５９】
【図１】本発明の第１実施形態に係る雨水貯留浸透システム用構造部材を構成している骨格部材の一例を示した図であり、上側から見た斜視図を示している。
【図２】図１の骨格部材を下側から見た斜視図である。
【図３】図１の骨格部材を用いて三次元構造体の１層目を形成する際の態様を示した斜視図である。
【図４】図３の領域Ａ１において受け部上に配置される連結部材の一例を示した図である。
【図５】図３の領域Ａ２において受け部上に配置される連結部材の一例を示した図である。
【図６】図３に示した三次元構造体の１層目に連結部材が配置された状態を示す斜視図である。
【図７】図１の骨格部材を用いて三次元構造体の２層目を形成する際の態様を示した斜視図である。
【図８】図７の領域Ａ３において受け部上に配置される連結部材の一例を示した図である。
【図９】図７の領域Ａ４において受け部上に配置される当接部材の一例を示した図である。
【図１０】図７に示した三次元構造体の２層目に連結部材及び当接部材が配置された状態を示す斜視図である。
【図１１】本発明の第２実施形態に係る雨水貯留浸透システム用構造部材を構成している骨格部材の一例を示した図であり、上側から見た斜視図を示している。
【図１２】図１１の骨格部材を下側から見た斜視図である。
【図１３】図１１の骨格部材を用いて三次元構造体を２層目まで形成した状態を示す斜視図である。
【図１４】図１１の骨格部材を重ね合せた状態を示した斜視図である。
【符号の説明】
【００６０】
１      骨格部材
１Ａ    中央部
２      突出部
３      受け部
５Ａ    連結部材
５Ｂ    連結部材
５Ｃ    連結部材
１１    骨格部材
１１Ａ  中央部
１２    突出部
１３    受け部
【図１】
2009068291.tif 000003
【図２】
2009068291.tif 000004
【図３】
2009068291.tif 000005
【図４】
2009068291.tif 000006
【図５】
2009068291.tif 000007
【図６】
2009068291.tif 000008
【図７】
2009068291.tif 000009
【図８】
2009068291.tif 000010
【図９】
2009068291.tif 000011
【図１０】
2009068291.tif 000012
【図１１】
2009068291.tif 000013
【図１２】
2009068291.tif 000014
【図１３】
2009068291.tif 000015
【図１４】
2009068291.tif 000016